(57)【要約】【課題】  構造を簡略化して小型化、軽量化を図り、可搬性に優れたものとするとともにコストの低減化を図り、更には、熱交換効率が高く、ウエットな冷風を得ることを可能にした携帯型冷風機を提供する。【解決手段】  内部を冷却媒体収容室２とする断熱容器３と、前記断熱容器３に支持されて前記冷却媒体収容室２内に空気を送り込むブロア４と、前記断熱容器２に支持されて前記ブロア４に給電する電源部５と、前記ブロア４により冷却媒体収容室２に送り込まれ前記冷却媒体収容室２に収容されている冷却媒体６に触れて冷却された空気を冷風としてを外部に吹き出す吹き出し口７とを備えた構成とした。【選択図】    図１
2006200866.tif 000002
【特許請求の範囲】
【請求項１】
内部を冷却媒体収容室とする断熱容器と、前記断熱容器に支持されて前記冷却媒体収容室内に空気を送り込むブロアと、前記断熱容器に支持されて前記ブロアに給電する電源部と、前記ブロアにより冷却媒体収容室に送り込まれ前記冷却媒体収容室に収容されている冷却媒体に触れて冷却された空気を冷風としてを外部に吹き出す吹き出し口とを備えてなることを特徴とする携帯型冷風機。
【請求項２】
前記断熱容器は断熱容器本体と該断熱容器本体の開口部を閉塞する断熱蓋とからなり、前記断熱蓋に前記ブロアと前記電源部と前記吹き出し口とが設けられていることを特徴とする請求項１に記載の携帯型冷風機。
【請求項３】
前記吹き出し口には前記冷風の吹き出す向きが変えられるフレキシブルホースが接続されていることを特徴とする請求項１または２に記載の携帯型冷風機。
【請求項４】
前記電源部は充電式電池を備えていることを特徴とする請求項１，２または３に記載の携帯型冷風機。
【発明の詳細な説明】
【技術分野】
【０００１】
本発明は、冷房装置の無い或いは冷房装置を設置できない高温の環境での使用に好適な携帯型冷風機に関する。
【背景技術】
【０００２】
例えば、ボイラー室、鋳物工場等の高温環境で且つ冷房装置の設置が困難な或いは冷房装置が設置されていない作業空間や夏の屋外作業場での作業や、また、夏の屋外スポーツ観戦等で、容易に涼を得られれば、高温環境下での作業が楽になり、また、スポーツ観戦等も楽しいものとなる。
【０００３】
このような要求に応えたものとして、搬送可能な携帯型の冷風機が提案されている（例えば、特許文献１参照。）。この携帯型冷風機は、筐体内に断熱容器、ブロア、電源部を収容し、断熱容器内には冷却媒体とブロアの吹き出す空気を該冷却媒体の中に通して熱交換する熱交換パイプとを収容し、この熱交換パイプに送風通路を接続し、この送風通路の出口を筐体に開口させた構造になっている。そして、電源部のスイッチをオンにすることにより、ブロアから空気が熱交換パイプ内に送り込まれ、送り込まれた空気は熱交換パイプを介して断熱容器内の冷却媒体と熱交換して冷却され、送風通路の出口から冷風となって吹き出すようになっている。
【特許文献１】特開平６−３４１６６２号公報
【発明の開示】
【発明が解決しようとする課題】
【０００４】
しかしながら、上記のような構造を有する携帯型冷風機によれば、筐体の他に断熱容器を必要とし、断熱容器内の冷却媒体中に熱交換パイプを収容しているので、小型化、軽量化が難しく、可搬性に劣るといったことに加え、構造が複雑化してコスト高になるといった問題があった。また、ブロアにより熱交換パイプに送り込まれた空気に湿気が含まれている場合、この空気が熱交換パイプを介して冷却媒体で冷却されたとき、空気中の湿気が結露して熱交換パイプ内壁面に水滴となって付着し、熱交換パイプ内に水溜まりを生じてしまう場合があるといった問題があった。また、熱交換パイプで熱交換するタイプなので、得られる冷風は常にドライとなり、特に涼感に優れるウエットな冷風は得られないといった問題があった。また、筐体に送風通路の出口が設けられただけの構造なので、使い方によっては、全体を動かさないと、所望の位置に冷風がこないといった問題があった。
【０００５】
本発明の目的は、構造を簡略化して小型化、軽量化を図り、可搬性に優れたものとするとともにコストの低減化を図り、更には、熱交換効率が高く、ウエットな冷風を得ることを可能にした携帯型冷風機を提供することにある。
【課題を解決するための手段】
【０００６】
上記の目的を達成するために、請求項１に記載の携帯型冷風機は、内部を冷却媒体収容室とする断熱容器と、前記断熱容器に支持されて前記冷却媒体収容室内に空気を送り込むブロアと、前記断熱容器に支持されて前記ブロアに給電する電源部と、前記ブロアにより冷却媒体収容室に送り込まれ前記冷却媒体収容室に収容されている冷却媒体に触れて冷却された空気を冷風としてを外部に吹き出す吹き出し口とを備えてなることを特徴とする。
【０００７】
請求項２に記載の携帯型冷風機は、請求項１に記載の、前記断熱容器が断熱容器本体と該断熱容器本体の開口部を閉塞する断熱蓋とからなり、前記断熱蓋に前記ブロアと前記電源部と前記吹き出し口とが設けられていることを特徴とする。
【０００８】
請求項３に記載の携帯型冷風機は、請求項１または２に記載の、前記吹き出し口には前記冷風の吹き出す向きが変えられるフレキシブルホースが接続されていることを特徴とする。
【０００９】
請求項４に記載の携帯型冷風機は、請求項１，２または３に記載の、前記電源部が充電式電池を備えていることを特徴とする。
【発明の効果】
【００１０】
本発明によれば、下記のような優れた効果を得ることができる。 
請求項１に記載の携帯型冷風機によれば、断熱容器の内部となる冷却媒体収容室にブロアで空気を送り込み、この空気を冷却媒体に触れさせて冷風を得る構造であるので、熱交換パイプ等が不要になり従来に比べて構造が簡略化されることになり、小型化、軽量化が図れ携帯に便利なものとなり、また、コストの低減化を図ることができる。また、ブロアから断熱容器の内部となる冷却媒体収容室に送り込まれた空気は、前記冷却媒体収容室に収容されている冷却媒体に触れ冷却されるので、熱交換パイプ等を介しての熱交換に比べ遙かに効率よく空気と冷却媒体との熱交換を行うことができる。
【００１１】
また、ブロアにより冷却媒体収容室に送り込まれた空気に湿気が含まれており、この空気が冷却媒体収容室内の冷却媒体で冷却され空気中の湿気が結露した場合、どこで結露しても水滴は冷却媒体収容室内で受けられるので、問題になることはない。
【００１２】
そしてまた、前記冷却媒体として氷を用いると、冷却媒体収容室に送り込まれた空気で氷が融け、湿気を多く含んだ冷風となって吹き出し口から吹き出すので、心地よい涼感を得ることができる。
【００１３】
請求項２に記載の携帯型冷風機によれば、請求項１に記載の、前記断熱容器が断熱容器本体と該断熱容器本体の開口部を閉塞する断熱蓋とからなり、前記断熱蓋に前記ブロアと前記電源部と前記吹き出し口とが設けられているので、断熱蓋とブロアと電源部と吹き出し口とが一括して扱え、断熱容器本体への断熱蓋の取り付け取り外しが容易となり、使い勝手がよい。
【００１４】
請求項３に記載の携帯型冷風機によれば、請求項１または２に記載の、前記吹き出し口には前記冷風の吹き出す向きが変えられるフレキシブルホースが接続されているので、フレキシブルホースの向きを変えることにより、冷風を所要なところに吹き出すことができる。
【００１５】
請求項４に記載の携帯型冷風機によれば、請求項１，２または３に記載の、前記電源部が充電式電池を備えているので、繰り返し充電して使用することができる。
【発明を実施するための最良の形態】
【００１６】
以下、本発明の携帯型冷風機を実施するための最良の形態を図１及び図２を参照して詳細に説明する。図１は本例の携帯型冷風機の縦断面図、図２は本例の携帯型冷風機を携帯している状態の説明図である。
【００１７】
本例の携帯型冷風機１は、内部を冷却媒体収容室２とする断熱容器３と、前記断熱容器３に支持されて前記冷却媒体収容室２内に空気を送り込むブロア４と、前記断熱容器３に支持されて前記ブロア４に給電する電源部５と、前記ブロア４により冷却媒体収容室２に送り込まれ前記冷却媒体収容室２に収容されている冷却媒体６に触れて冷却された空気を冷風として外部に吹き出す吹き出し口７とを備えている。
【００１８】
前記断熱容器３にあっては、冷却媒体収容室２を構成する断熱容器本体８と該断熱容器本体８の開口部を閉塞する断熱蓋９とで構成されている。前記断熱容器本体８と断熱蓋９は、いずれも二重構造となっており、内部に発泡プラスチックやグラスファイバー等の断熱材が収容された構造となっている。前記二重構造となる断熱容器本体８と断熱蓋９の外壁と内壁（図示せず）は、外壁と内壁を金属製とする、外壁を金属製、内壁をプラスチック製とする、外壁と内壁をプラスチック製とする等、種々の構成が考えられる。
【００１９】
また、前記断熱容器本体８内、即ち冷却媒体収容室２に収容する冷却媒体６としては、氷、ドライアイス、保冷剤等が使用される。
【００２０】
前記断熱容器本体８とともに断熱容器３を構成する断熱蓋９には、前記冷却媒体収容室２内に空気を送り込むブロア４と、このブロア４に給電する電源部５と、吹き出し口７を一体として設けている。
【００２１】
前記ブロア４にあっては、風量の調整ができるタイプが好ましい。ブロア４から吹き出す空気は、送風通路１０を経て冷却媒体収容室２に送り込まれるようになっている。
【００２２】
前記電源部５は、充電式乾電池５ａの出力電圧を変圧器等の電圧変換部５ｂで昇圧してブロア４に与えるタイプが好ましい。本例では、電源部５として充電式乾電池５ａを使用しているが、商用電源を用いることができるようにしてもよい。
【００２３】
前記吹き出し口７には，冷風を吹き出す向きを変えられるフレキシブルホース１１が接続されている。また、本例では携帯に便利なように、断熱容器本体８には、図２に示すように取っ手１２が設けられている。
【００２４】
このように構成された携帯型冷風機１によれば、電源部５のスイッチをオンにすると、ブロア４が駆動して空気を送風通路１０から冷却媒体収容室２に送り込む。冷却媒体収容室２に送り込まれた空気は、冷却媒体収容室２に収容されている冷却媒体６に触れて冷却され、冷風となってフレキシブルホース１１から吹き出される。このようにして冷風が吹き出されるフレキシブルホース１１を人に向けることにより、涼を取ることができる。
【００２５】
このとき、冷却媒体６として氷を用いると、冷却媒体収容室２に送り込まれた空気で氷が融け、湿気を多く含んだ冷風となって吹き出し口から吹き出すので、フレキシブルホース１１から吹き出された冷風を浴びた者は、心地よい涼感を得ることができる。また、前記氷以外でも、冷却媒体６として保冷剤を用い、保冷剤と水とを冷却媒体収容室２に収容することにより湿気を多く含んだ冷風を得ることができる。
【００２６】
また、前記吹き出し口７から吹き出される冷風は、フレキシブルホース１１の向きを変えることにより、吹き出し方向を冷風を望む方向に変更することができる。
【００２７】
また、本例の携帯型冷風機１は、断熱容器３の内部となる冷却媒体収容室２にブロア４で空気を送り込み、この空気を冷却媒体６に触れさせて冷風を得る構造であるので、熱交換パイプ等が不要になり従来に比べて構造が簡略化されることになり、小型化、軽量化が図れ携帯に便利なものとなり、また、コストの低減化を図ることができる。また、ブロア４から冷却媒体収容室２に送り込まれた空気は直接冷却媒体６に触れ冷却されるので、熱交換パイプ等を介しての熱交換に比べ遙かに効率よく空気と冷却媒体６との熱交換を行うことができる。
【００２８】
また、ブロア４により冷却媒体収容室２に送り込まれた空気に湿気が含まれており、この空気が冷却媒体収容室２の冷却媒体６で冷却され空気中の湿気が結露した場合、どこで結露しても水滴は冷却媒体収容室２内で受けられるので、問題になることはない。
【００２９】
また、本例の携帯型冷風機１は、前記断熱容器３が断熱容器本体８と該断熱容器本体８の開口部を閉塞する断熱蓋９とからなり、前記断熱蓋９に前記ブロア４と前記電源部５と前記吹き出し口７とが設けられているので、断熱蓋９とブロア４と電源部５と吹き出し口７とが一括して扱え、断熱容器本体８への断熱蓋９の取り付け取り外しが容易となり、使い勝手がよい。また、本例では、前記電源部５が充電式電池を備えているので、繰り返し充電して使用することができ便利である。
【図面の簡単な説明】
【００３０】
【図１】本発明に係る携帯型冷風機の一例を示す縦断面図である。
【図２】本例の携帯型冷風機を携帯している状態の説明図である。
【符号の説明】
【００３１】
１  携帯型冷風機
２  冷却媒体収容室
３  断熱容器
４  ブロア
５  電源部
５ａ  充電式乾電池
５ｂ  電圧変換部
６  冷却媒体
７  吹き出し口
８  断熱容器本体
９  断熱蓋
７  ブロア
１０  送風通路
１１  フレキシブルホース
１２  取っ手
【図１】
2006200866.tif 000003
【図２】
2006200866.tif 000004